(57)【要約】【課題】表示手段用の電源制御回路を別個備えることなく、ユーザが主電源スイッチをオフした場合に確実に表示手段を無表示状態にすることができる画像形成装置を提供する。【解決手段】ユーザにより主電源スイッチ６２がオフされた場合、検知回路６３が主電源スイッチオフ検知信号ＰＯを出力し、駆動用ＣＰＵ５３が主電源スイッチオフ検知信号ＰＯに応答してからシャットダウン要求信号ＳＲを出力し、画像用ＡＳＩＣ４２がシャットダウン要求信号ＳＲに応答してからＬＣＤ３３を無表示状態にするための無表示信号ＮＤを表示用ＣＰＵ３２へ出力し、ＬＣＤ３３が無表示状態にされる。【選択図】  図２
2004272068.tif 000002
【特許請求の範囲】
【請求項１】
装置の状態に関する情報を表示する表示手段と、
装置内部を冷却するための冷却手段と、
装置本体の電源をオン／オフするための主電源スイッチを有し、操作者により前記主電源スイッチがオンされた場合に前記表示手段を含む装置本体に電力を供給し、操作者により前記主電源スイッチがオフされた場合に電源オフ信号を出力する電源手段と、
前記電源手段から出力された電源オフ信号に応答して電源オフ要求信号を出力するとともに、前記電源手段及び前記冷却手段の動作を制御する第１の制御手段と、
前記第１の制御手段から出力された電源オフ要求信号に応答して前記表示手段を無表示状態にするための無表示信号を前記表示手段へ出力する第２の制御手段とを備えることを特徴とする画像形成装置。
【請求項２】
前記第１の制御手段は、前記第２の制御手段が前記無表示信号を出力できない場合、前記表示手段を初期化するための初期化信号を前記表示手段へ出力することを特徴とする請求項１記載の画像形成装置。
【請求項３】
前記第１の制御手段は、前記初期化信号を前記表示手段へ複数回出力することを特徴とする請求項２記載の画像形成装置。
【請求項４】
前記第１の制御手段は、前記初期化信号による前記表示手段の初期化期間が順に短くなるように前記初期化信号を前記表示手段へ複数回出力することを特徴とする請求項３記載の画像形成装置。
【請求項５】
前記第１の制御手段は、画像データに応じた画像を用紙に形成する画像形成部を制御し、
前記第２の制御手段は、画像データに対して所定の画像処理を行うことを特徴とする請求項１〜４のいずれかに記載の画像形成装置。
【発明の詳細な説明】
【０００１】
【発明の属する技術分野】
本発明は、装置の状態に関する情報を表示して画像データに応じた画像を用紙に形成する画像形成装置に関し、例えば、プリンタ、複写機、ファクシミリ装置、複合機等の画像形成装置に関するものである。
【０００２】
【従来の技術】
従来の画像形成装置の一例として、リーダ部とプリンタ部とを備え、リーダコントローラに接続されたスイッチから電源断を指示すると、リーダコントローラがエンジン制御部に電源切断前処理の実行を指示し、その終了が通知されるまでアウトレットへの電源供給を切断せず、電源切断前処理中に再度スイッチが押されて電源投入が指示されると、リーダコントローラがリレーを切断、接続することにより、エンジン制御部の初期化動作を促す複写機が開発されている（例えば、特許文献１参照。）。この場合、簡略な構成で電源オフシーケンス中の再電源投入が可能となる。
【０００３】
また、他の画像形成装置の一例として、装置の動作状態を表示する表示装置を備え、主電源スイッチが切断されたときでも、装置内部の温度冷却のために冷却ファンを駆動する必要がある場合、冷却ファンを駆動するために装置本体への電源供給を停止することなく、表示装置への電源供給のみを切断するために表示装置用電源制御回路を別個備え、表示装置のみ電源供給をオフするプリンタが開発されている。この場合、表示装置が無表示状態になるため、操作者は、プリンタの電源がオフされたことを確認することができる。
【０００４】
【特許文献１】
特開２０００−２５０６４２号公報
【０００５】
【発明が解決しようとする課題】
しかしながら、表示装置用電源制御回路を別個備えたのでは、装置のコストが上昇する。一方、表示装置用電源制御回路を省略した場合、ユーザが主電源スイッチをオフしても、冷却ファンを駆動する必要があるときは、装置本体への電源供給を停止できないため、表示装置へも電源供給が行われ、表示装置がそれまでの表示画面を表示し続ける。このとき、ユーザはプリンタの電源をオフしたことを確認することができず、主電源スイッチをオン／オフを繰り返す等のユーザの誤操作を招く結果となる。
【０００６】
本発明の目的は、表示手段用の電源制御回路を別個備えることなく、ユーザが主電源スイッチをオフした場合に確実に表示手段を無表示状態にすることができる画像形成装置を提供することである。
【０００７】
【課題を解決するための手段】
本発明に係る画像形成装置は、装置の状態に関する情報を表示する表示手段と、装置内部を冷却するための冷却手段と、装置本体の電源をオン／オフするための主電源スイッチを有し、操作者により主電源スイッチがオンされた場合に表示手段を含む装置本体に電力を供給し、操作者により主電源スイッチがオフされた場合に電源オフ信号を出力する電源手段と、電源手段から出力された電源オフ信号に応答して電源オフ要求信号を出力するとともに、電源手段及び冷却手段の動作を制御する第１の制御手段と、第１の制御手段から出力された電源オフ要求信号に応答して表示手段を無表示状態にするための無表示信号を表示手段へ出力する第２の制御手段とを備えるものである。
【０００８】
本発明に係る画像形成装置においては、ユーザにより主電源スイッチがオフされた場合、電源手段から電源オフ信号が出力され、出力された電源オフ信号に応答して第１の制御手段から電源オフ要求信号を出力され、出力された電源オフ要求信号に応答して第２の制御手段から表示手段を無表示状態にするための無表示信号が表示手段へ出力されるので、装置本体の温度が所定温度以下に達していない場合、電源手段から表示手段を含む装置本体への電力供給を停止することなく、冷却手段を駆動しながら、表示手段を無表示状態にすることができる。この結果、表示手段用の電源制御回路を別個備えることなく、ユーザが主電源スイッチをオフした場合に確実に表示手段を無表示状態にすることができる。
【０００９】
第１の制御手段は、第２の制御手段が無表示信号を出力できない場合、表示手段を初期化するための初期化信号を表示手段へ出力することが好ましい。
【００１０】
この場合、ユーザにより主電源スイッチがオン状態から短時間でオフ状態にされ、第２の制御手段が無表示信号を出力できないときでも、第１の制御手段から表示手段を初期化するための初期化信号が表示手段へ出力されるので、ユーザが主電源スイッチを短時間でオフした場合でも確実に表示手段を無表示状態にすることができる。
【００１１】
第１の制御手段は、初期化信号を表示手段へ複数回出力することが好ましい。この場合、初期化信号が表示手段へ複数回出力されるので、最初の初期化信号により表示手段を無表示状態にすることができない場合でも、後続の初期化信号により表示手段を無表示状態にすることができ、確実に表示手段を無表示状態にすることができる。
【００１２】
第１の制御手段は、初期化信号による表示手段の初期化期間が順に短くなるように初期化信号を表示手段へ複数回出力することが好ましい。ここで、表示手段の初期化動作において表示状態がクリアされた後に所定の初期化画面が表示される場合、表示手段の初期化期間が順に短くなるように初期化信号を複数回出力しているので、複数の初期化信号の中の一の初期化信号により表示手段の表示状態がクリアされると、後続の初期化信号では初期化画面が表示されることがなくなり、より確実に表示手段を無表示状態にすることができる。
【００１３】
第１の制御手段は、画像データに対して行われる画像処理を制御し、第２の制御手段は、画像データに対して所定の画像処理を行うことが好ましい。
【００１４】
この場合、第２の制御手段には画像処理に適する初期化時間の長い演算処理装置等を用い、第１の制御手段には画像形成部の制御に適する初期化時間の短い演算処理装置等を用いることができるので、第１の制御手段は起動後すぐに初期化信号を出力可能な状態となり、ユーザにより主電源スイッチがオン状態から短時間でオフ状態にされた場合でも、確実に表示手段を無表示状態にすることができる。
【００１５】
【発明の実施の形態】
以下、本発明の一実施の形態による画像形成装置の一例としてプリンタについて図面を参照しながら説明する。図１は、本発明の一実施の形態によるプリンタの機械的構成を主に示す側面概略図である。
【００１６】
図１に示すプリンタ１のプリンタ本体２内には、ブラック、シアン、マゼンタ、イエローの各色用にそれぞれ現像装置３が備えられている。それぞれの現像装置３には感光体ドラム４が備えられ、図中の矢印方向に回転するようになっている。この感光体ドラム４が帯電部５によって一様に帯電され、外部ＰＣ（パーソナルコンピュータ）等から入力された画像データに基づくＬＥＤ光が、露光部６から感光体ドラム４の表面上に照射されて静電潜像が形成され、この静電潜像にトナーが供給されてトナー像が形成される。このトナーの供給はトナー供給容器７Ｂ，７Ｃ，７Ｍ，７Ｙから現像装置３を介してそれぞれ行われる。
【００１７】
これら各色用に４つの感光体ドラム４が並設されている下方には、用紙搬送ベルト８が配設されている。用紙搬送ベルト８は加圧ローラ９によって各感光体ドラム４に押し付けられた状態にされ、ローラ１０，１１によって感光体ドラム４の回転方向の順方向に回転されるように構成されている。
【００１８】
そして感光体ドラム４と用紙搬送ベルト８との間に、給紙機構１２から用紙搬送路１３を経由して用紙が搬送され、用紙が各色の感光体ドラム４と用紙搬送ベルト８との間を搬送されていく間に、各感光体ドラム４表面の各色のトナー像が転写バイアスによって次々に用紙に転写される。全ての感光体ドラム４からトナー像が転写された用紙は、定着ローラ対を有する定着装置１４に搬送され、ここでトナー像が定着ローラ対によるニップで熱定着され、カラー画像が形成される。定着装置１４を通過した用紙は、用紙搬送路１５に送られ、排出部１６から排出される。
【００１９】
各感光体ドラム４には、感光体ドラム４上の残留トナー等を除去するためにクリーニング機構２０が備えられている。このクリーニング機構２０は、感光体ドラム４の表面を清掃するためのクリーニングローラ２１及びクリーニングブレード２２、並びに、クリーニングローラ２１及びクリーニングブレード２２によってドラム表面から除去されたトナーを一箇所に集めるためのスパイラル２３を有している。
【００２０】
定着装置１４の上方には冷却ファン１７が備えられ、冷却ファン１７は、通常動作時にプリンタ本体２の内部温度が所定の温度になるように駆動される。また、冷却ファン１７は、操作者によりプリンタ１の主電源スイッチ６２（図２参照）がオフされたとき、プリンタ本体２の内部を冷却する必要がある場合は、プリンタ本体２の内部温度が所定の温度になるまで駆動される。
【００２１】
図２は、図１に示すプリンタ１の電気的構成のうち本発明に関わる部分を主に示すブロック図である。プリンタ１は、冷却ファン１７、温湿度センサ１８、表示装置３１、画像用制御回路４１、駆動用制御回路５１及び電源装置６１を備える。
【００２２】
表示装置３１は、表示用ＣＰＵ（中央演算処理装置）３２及びＬＣＤ（液晶表示装置）３３を含み、各部が表示装置用基板上に取り付けられている。画像用制御回路４１は、画像用ＡＳＩＣ（Ａｐｐｌｉｃａｔｉｏｎ  Ｓｐｅｃｉｆｉｃ  ＩＣ）４２、画像用ＣＰＵ４３及びレギュレータ４４を含み、各部が画像用制御基板上に取り付けられている。駆動用制御回路５１は、駆動用ＡＳＩＣ５２、駆動用ＣＰＵ５３及びリセット回路５４を含み、各部が画像用制御基板上に取り付けられている。電源装置６１は、主電源スイッチ６２、検知回路６３及び電源スイッチ６４を含む。
【００２３】
主電源スイッチ６２は、プリンタ１の所定位置に取り付けられたメカスイッチ等から構成され、操作者がプリンタ１の電源を入れるためにオンし、電源を切るためにオフする。検知回路６３は、操作者により主電源スイッチ６２がオフされたことを検知して主電源スイッチオフ検知信号を駆動用ＣＰＵ（中央演算処理装置）５３へ出力する。操作者により主電源スイッチ６２がオンされたときに電源スイッチ６４がオンして、商用電源から作成した５Ｖの電源が画像用制御回路４１及び駆動用制御回路５１に供給されるとともに、画像用制御回路４１に供給された５Ｖの電源がレギュレータ４４により３．３Ｖの電源に変換されて表示装置３１へ供給される。また、電源スイッチ６４は、駆動用ＣＰＵ５３から出力される主電源シャットダウンリモート信号ＳＤに応答してオフし、装置全体への電源供給が停止される。
【００２４】
駆動用ＡＳＩＣ５２及び駆動用ＣＰＵ５３は、画像データに応じた画像を用紙に形成する画像形成部を主に制御し、駆動用ＣＰＵ５３には、例えば、１６ビットマイクロコンピュータ等のリセット動作（初期化動作）の短い演算処理装置が用いられる。ここで、画像形成部には、感光体ドラム４、帯電部５、露光部６、ローラ１０，１１、定着装置１４及び冷却ファン１７等が含まれ、例えば、駆動用ＡＳＩＣ５２及び駆動用ＣＰＵ５３は、通常動作時や操作者が主電源スイッチ６２をオフしたとき、温湿度センサ１８により計測されたプリンタ本体２の内部温度及び湿度に応じて冷却ファン１７を駆動する。
【００２５】
操作者が主電源スイッチ６２をオンして電源スイッチ６４がオンされ、電源装置６１から５Ｖの電源が駆動用制御回路５１に供給されると、リセット回路５４は、リセット信号を駆動用ＡＳＩＣ５２へ出力する。駆動用ＡＳＩＣ５２は、リセット回路５４からのリセット信号をパワーオンリセット信号ＰＲとして画像用ＡＳＩＣ４２へ出力する。
【００２６】
駆動用ＡＳＩＣ５２は、画像用ＡＳＩＣ４２から出力されたパネルマイコンリセット信号Ｒ１をパネルマイコンリセット信号Ｒ２として表示用ＣＰＵ３２へ出力する。また、駆動用ＡＳＩＣ５２は、画像用ＣＰＵ４３のリセット動作が完了しておらず、画像用ＡＳＩＣ４２と通信できない場合、駆動用ＣＰＵ５３からの指示に応じてパネルマイコンリセット信号Ｒ２を独自に表示用ＣＰＵ３２へ出力する。
【００２７】
駆動用ＣＰＵ５３は、検知回路６３から出力される主電源スイッチオフ検知信号ＰＯに応答してシャットダウン要求信号ＳＲを画像用ＡＳＩＣ４２へ出力する。また、駆動用ＣＰＵ５３は、画像用ＡＳＩＣ４２からシャットダウン許可信号ＳＰを受信し、駆動用制御回路５１は、主電源シャットダウンリモート信号ＳＤを電源スイッチ６４へ出力する。
【００２８】
画像用ＡＳＩＣ４２及び画像用ＣＰＵ４３は、外部ＰＣ等から入力された画像データに対する画像処理等を主に実行し、画像用ＣＰＵ４３には、例えば、高機能なプロセッサであるリセット時間の長い演算処理装置等が用いられる。レギュレータ４４は、電源装置６１から供給される５Ｖの電圧を３．３Ｖの電圧に変換して画像用制御回路４１の内部に供給するとともに、表示装置３１への電源供給を行う。
【００２９】
画像用ＡＳＩＣ４２は、駆動用ＡＳＩＣ５２から出力されるパワーオンリセット信号ＰＲに応答して画像用ＣＰＵ４３にリセット信号を出力し、画像用ＣＰＵ４３がリセット動作を行う。画像用ＡＳＩＣ４２は、駆動用ＣＰＵ５３から出力されるシャットダウン要求信号ＳＤを画像用ＣＰＵ４３へ通知し、画像用ＣＰＵ４３が無表示信号を出力するように画像用ＡＳＩＣ４２に指示し、画像用ＡＳＩＣ４２は無表示信号を表示用ＣＰＵ３２へ出力する。
【００３０】
画像用ＡＳＩＣ４２は、リセット動作の完了後、パネルマイコンリセット信号Ｒ１を駆動用ＡＳＩＣ５２へ出力する。また、画像用ＡＳＩＣ４２は、画像用制御回路４１の電源をオフできる状態になったときにシャットダウン許可信号ＳＰを駆動用ＣＰＵ５３へ出力する。
【００３１】
表示用ＣＰＵ３２は、画像用ＡＳＩＣ４２の制御信号に応じてＬＣＤ３３の動作を制御し、ＬＣＤ３３は、装置の動作に関する種々の情報を表示する。また、表示用ＣＰＵ３２は、駆動用ＡＳＩＣから出力されるパネルマイコンリセット信号Ｒ２によりリセット動作を行い、リセット動作の完了後、画像用ＡＳＩＣ４２から出力される無表示信号ＮＤに応答してＬＣＤ３３を無表示状態にする。
【００３２】
本実施の形態では、表示装置３１が表示手段の一例に相当し、電源装置６１が電源手段の一例に相当し、駆動用制御回路５１が第１の制御手段の一例に相当し、画像用制御回路４１が第２の制御手段の一例に相当する。
【００３３】
次に、上記のように構成されたプリンタ１の各動作について説明する。図３は、図２に示すプリンタ１の通常起動時の動作の一例を説明するためのタイミングチャートである。
【００３４】
まず、操作者がプリンタ１の電源を入れるために主電源スイッチ６２をオンすると、時刻Ｔ１において、電源スイッチ６４がオンして主電源（＋５Ｖ）が画像用制御回路４１及び駆動用制御回路５１に供給され、レギュレータ４４により表示装置用電源（＋３．３Ｖ）が表示装置３１に供給される。
【００３５】
次に、リセット回路５４は、主電源（＋５Ｖ）の供給開始時から所定時間経過した後に、リセット信号を駆動用ＡＳＩＣ５２へ出力し、時刻Ｔ２において、駆動用ＡＳＩＣ５２は、このリセット信号をパワーオンリセット信号ＰＲとして画像用ＡＳＩＣ４２へ出力する。
【００３６】
次に、画像用ＡＳＩＣ４２は、パワーオンリセット信号ＰＲによりＣＰＵ４３にリセット動作を行わせ、リセット動作完了後の時刻Ｔ３において、パネルマイコンリセット信号Ｒ１を駆動用ＡＳＩＣ５２へ出力する。このとき、駆動用ＡＳＩＣ５２は、画像用ＡＳＩＣ４２から出力されたパネルマイコンリセット信号Ｒ１をパネルマイコンリセット信号Ｒ２として表示用ＣＰＵ３２へ出力する。
【００３７】
その後、表示用ＣＰＵ３２はパネルマイコンリセット信号Ｒ２によりリセット動作を開始し、「Ｓｅｌｆ  Ｔｅｓｔ」等の文字がＬＣＤ３３の表示画面に表示される。リセット動作完了後、表示用ＣＰＵ３２と画像用ＡＳＩＣ４２とが通信可能となり、駆動用ＡＳＩＣ５２及び駆動用ＣＰＵ５３により指定された表示画面がＬＣＤ３３に表示される。
【００３８】
図４は、図２に示すプリンタ１の主電源オフ時の動作の一例を説明するためのタイミングチャートである。まず、時刻Ｔ１〜Ｔ３において図３に示す時刻Ｔ１〜Ｔ３と同様の通常起動動作が行われ、充分な時間が経過した後、操作者がプリンタ１の電源を切るために主電源スイッチ６２をオフすると、時刻Ｔ４において、検知回路６３は、操作者により主電源スイッチ６２がオフされたことを検知して主電源スイッチオフ検知信号ＰＯを駆動用ＣＰＵ５３へ出力する。
【００３９】
このとき、駆動用ＣＰＵ５３は、検知回路６３から出力される主電源スイッチオフ検知信号ＰＯに応答してシャットダウン要求信号ＳＲを画像用ＡＳＩＣ４２へ出力する。画像用ＡＳＩＣ４２は、駆動用ＣＰＵ５３から出力されたシャットダウン要求信号ＳＲを画像用ＣＰＵ４３へ通知し、画像用ＣＰＵ４３が無表示信号を出力するように画像用ＡＳＩＣ４２に指示する。ここで、画像用ＡＳＩＣ４２は、リセット動作を既に完了して表示用ＣＰＵ３２及び駆動用ＡＳＩＣ５２と通信可能な状態にあるので、無表示信号ＮＤを表示用ＣＰＵ３２へ出力する。表示用ＣＰＵ３２は、画像用ＡＳＩＣ４２から出力される無表示信号ＮＤを用いてＬＣＤ３３を無表示状態にする。
【００４０】
その後、画像用ＡＳＩＣ４２は、画像用制御回路４１の電源をオフできる状態になったときにシャットダウン許可信号ＳＰを駆動用ＣＰＵ５３へ出力する。駆動用ＣＰＵ５３は、温湿度センサ１８によりプリンタ本体２の内部温度等を計測して内部温度が所定温度以下になったときに冷却ファン１７の駆動を停止させた後、主電源シャットダウンリモート信号ＳＤを電源スイッチ６４へ出力する。電源スイッチ６４は、駆動用制御回路５１から出力される主電源シャットダウンリモート信号ＳＤに応答してオフし、電源装置６１から装置全体への電源供給が停止される。
【００４１】
このように、本実施の形態では、ユーザにより主電源スイッチ６２がオフされた場合、検知回路６３から主電源スイッチオフ検知信号ＰＯが出力され、出力された主電源スイッチオフ検知信号ＰＯに応答して駆動用ＣＰＵ５３からシャットダウン要求信号ＳＲが出力され、出力されたシャットダウン要求信号ＳＲに応答して画像用ＡＳＩＣ４２からＬＣＤ３３を無表示状態にするための無表示信号ＮＤが表示用ＣＰＵ３２へ出力される。したがって、ユーザが主電源スイッチ６２をオフした場合でも、装置本体の温度が所定温度以下に達していない場合、電源装置６１から装置本体への電力供給を停止することなく、冷却ファン１７を駆動しながら、ＬＣＤ３３を無表示状態にすることができる。この結果、表示装置用電源制御回路を別個備えることなく、ユーザが主電源スイッチ６２をオフした場合に確実に表示装置３１を無表示状態にすることができる。
【００４２】
図５は、図２に示すプリンタ１の主電源スイッチ６２がオンされた直後にオフされた場合の動作の一例を説明するためのタイミングチャートである。まず、時刻Ｔ１，Ｔ２において図３に示す時刻Ｔ１，Ｔ２と同様の通常起動動作が行われ、時刻Ｔ４において、操作者がプリンタ１の電源を切るために主電源スイッチ６２をオフすると、検知回路６３は、主電源スイッチ６２がオフされたことを検知して主電源スイッチオフ検知信号ＰＯを駆動用ＣＰＵ５３へ出力する。
【００４３】
次に、駆動用ＣＰＵ５３は、温湿度センサ１８によりプリンタ本体２の内部温度等を計測して冷却ファン１７の駆動を停止できるか否かを判断する。このとき、画像用ＣＰＵ４３がリセット動作を完了しておらず、駆動用ＡＳＩＣ５２と画像用ＡＳＩＣ４２と通信できない状態（画像用ＡＳＩＣ４２がパネルマイコンリセット信号Ｒ２を出力できない状態）にある。このため、プリンタ本体２の内部温度等が所定温度等以下になっておらず、冷却ファン１７の駆動を停止できない場合、駆動用ＣＰＵ５３は、駆動用ＡＳＩＣ５２に対してパネルマイコンリセット信号Ｒ２を出力するように指示する。
【００４４】
したがって、時刻Ｔ５において、駆動用ＡＳＩＣ５２は、独自にパネルマイコンリセット信号Ｒ２を表示用ＣＰＵ３２へ出力し、表示用ＣＰＵ３２は、パネルマイコンリセット信号Ｒ２によりリセット動作を開始して「Ｓｅｌｆ  ｔｅｓｔ」等の文字がＬＣＤ３３の表示画面に表示される。
【００４５】
次に、時刻Ｔ６において、駆動用ＡＳＩＣ５２は、駆動用ＣＰＵ５３の指示に応じてパネルマイコンリセット信号Ｒ２を解除し、表示用ＣＰＵ３２のリセット動作が解除される。このとき、ＬＣＤ３３は、「Ｓｅｌｆ  ｔｅｓｔ」等の文字を表示した状態となる。
【００４６】
次に、時刻Ｔ７において、駆動用ＡＳＩＣ５２は、駆動用ＣＰＵ５３の指示に応じて再びパネルマイコンリセット信号Ｒ２を出力し、表示用ＣＰＵ３２のリセット動作が開始される。その後、表示用ＣＰＵ３２のリセット動作によりＬＣＤ３３の表示画面がクリアされる時刻Ｔ８において、駆動用ＡＳＩＣ５２は、駆動用ＣＰＵ５３の指示に応じてパネルマイコンリセット信号Ｒ２を解除し、表示用ＣＰＵ３２のリセット動作が解除される。この結果、ＬＣＤ３３の表示画面が無表示状態となる。
【００４７】
そして、リセット動作が完了して画像用ＡＳＩＣ４２と通信可能な状態になった後、駆動用ＣＰＵ５３は、シャットダウン要求信号ＳＲを画像用ＡＳＩＣ４２へ出力し、画像用ＡＳＩＣ４２は、画像用制御回路４１の電源をオフできる状態になったときにシャットダウン許可信号を駆動用ＣＰＵ５３へ出力する。このとき、駆動用ＣＰＵ５３は、温湿度センサ１８によりプリンタ本体２の内部温度等を計測して内部温度が所定温度以下になったときに冷却ファン１７の駆動を停止させ、主電源シャットダウンリモート信号ＳＤを電源スイッチ６４へ出力する。電源スイッチ６４は、駆動用ＣＰＵ５３から出力される主電源シャットダウンリモート信号ＳＤに応答してオフし、装置全体への電源供給が停止される。
【００４８】
このように、本実施の形態では、ユーザにより主電源スイッチ６２がオン状態から短時間でオフ状態にされ、画像用ＡＳＩＣ４２から無表示信号ＮＤを出力できない場合でも、駆動用ＡＳＩＣ５２から独自に表示用ＣＰＵ３２をリセットするためのパネルマイコンリセット信号Ｒ２が表示用ＣＰＵ３２へ出力されるので、ＬＣＤ３３の表示画面が無表示状態となり、ユーザが主電源スイッチ６２を短時間でオフした場合でも、表示装置３１を確実に無表示状態にすることができる。
【００４９】
図６は、図２に示すプリンタ１の主電源スイッチ６２がオンされた直後にオフされた場合の他の動作の一例を説明するためのタイミングチャートである。まず、時刻Ｔ１，Ｔ２，Ｔ４〜Ｔ６において図５に示す時刻Ｔ１，Ｔ２，Ｔ４〜Ｔ６と同様の動作が行われ、時刻Ｔ７において、駆動用ＡＳＩＣ５２は、駆動用ＣＰＵ５３の指示に応じて再びパネルマイコンリセット信号Ｒ２を出力し、表示用ＣＰＵ３２のリセット動作が開始される。その後、表示用ＣＰＵ３２のリセット動作によりＬＣＤ３３の表示画面がクリアされるべき時刻Ｔ８において、駆動用ＡＳＩＣ５２は、駆動用ＣＰＵ５３の指示に応じてパネルマイコンリセット信号Ｒ２を解除し、表示用ＣＰＵ３２のリセット動作が解除される。
【００５０】
しかしながら、半導体デバイスの製造バラツキ等により、表示用ＣＰＵ３２のリセット動作によってＬＣＤ３３の表示画面がクリアされる時刻にバラツキが生じるため、ＬＣＤ３３の表示画面が一旦無表示状態となった後に、「Ｓｅｌｆ  ｔｅｓｔ」の文字のうち「Ｓ」の文字がＬＣＤ３３の表示画面に表示される場合がある。
【００５１】
このため、本例では、時刻Ｔ９において、駆動用ＡＳＩＣ５２は、駆動用ＣＰＵ５３の指示に応じて再びパネルマイコンリセット信号Ｒ２を出力し、表示用ＣＰＵ３２のリセット動作が開始される。その後、表示用ＣＰＵ３２のリセット動作によりＬＣＤ３３の表示画面がクリアされる時刻Ｔ１０において、駆動用ＡＳＩＣ５２は、駆動用ＣＰＵ５３の指示に応じてパネルマイコンリセット信号Ｒ２を解除し、表示用ＣＰＵ３２のリセット動作が解除される。
【００５２】
例えば、上記の時刻Ｔ７〜Ｔ８間のリセット動作期間が２００ｍｓの場合、時刻Ｔ９〜Ｔ１０間のリセット動作期間は１９０ｍｓに設定され、後続のリセット期間ほど時間が短くなるように設定される。この結果、ＬＣＤ３３の表示画面が無表示状態となる。
【００５３】
そして、リセット動作が完了して画像用ＡＳＩＣ４２と通信可能な状態になった後、駆動用ＣＰＵ５３は、シャットダウン要求信号ＳＲを画像用ＡＳＩＣ４２へ出力し、画像用ＡＳＩＣ４２は、画像用制御回路４１の電源をオフできる状態になったときにシャットダウン許可信号を駆動用ＣＰＵ５３へ出力する。このとき、駆動用ＣＰＵ５３は、温湿度センサ１８によりプリンタ本体２の内部温度等を計測して内部温度が所定温度以下になったときに冷却ファン１７の駆動を停止させ、主電源シャットダウンリモート信号ＳＤを電源スイッチ６４へ出力する。電源スイッチ６４は、駆動用ＣＰＵ５３から出力される主電源シャットダウンリモート信号ＳＤに応答してオフし、装置全体への電源供給が停止される。
【００５４】
このように、本例では、パネルマイコンリセット信号Ｒ２が駆動用ＡＳＩＣ５２から表示用ＣＰＵ３２へ複数回出力されるので、前のパネルマイコンリセット信号Ｒ２によりＬＣＤ３３を無表示状態にすることができない場合でも、後続のパネルマイコンリセット信号Ｒ２によりＬＣＤ３３を無表示状態にすることができ、確実に表示装置３１を無表示状態にすることができる。
【００５５】
また、表示用ＣＰＵ３２のリセット動作においてＬＣＤ３３の表示状態がクリアされた後に「Ｓｅｌｆ  ｔｅｓｔ」等の文字が表示される場合、表示用ＣＰＵ３２のリセット動作期間が順に短くなるようにパネルマイコンリセット信号Ｒ２を複数回出力しているので、複数のパネルマイコンリセット信号Ｒ２の中の一のパネルマイコンリセット信号Ｒ２によりＬＣＤ３３の表示状態がクリアされると、後続のパネルマイコンリセット信号Ｒ２では「Ｓｅｌｆ  ｔｅｓｔ」等の文字が表示されることがなくなり、より確実に表示装置３１を無表示状態にすることができる。
【００５６】
なお、上記の説明では、パネルマイコンリセット信号Ｒ２を２回又は３回出力する例について説明したが、パネルマイコンリセット信号Ｒ２の数はこの例に特に限定されず、４回以上の他の回数であってもよい。また、上記のパネルマイコンリセット信号Ｒ２によるリセット動作期間も、一例であり、使用する表示用ＣＰＵ等に合わせて適宜変更が可能である。
【００５７】
【発明の効果】
本発明によれば、表示手段を無表示状態にするための無表示信号が表示手段へ出力されるので、装置本体の温度が所定温度以下に達していない場合、電源手段から表示手段を含む装置本体への電力供給を停止することなく、冷却手段を駆動しながら、表示手段を無表示状態にすることができ、表示手段用の電源制御回路を別個備えることなく、ユーザが主電源スイッチをオフした場合に確実に表示手段を無表示状態にすることができる。
【図面の簡単な説明】
【図１】本発明の一実施の形態によるプリンタの機械的構成を主に示す側面概略図である。
【図２】図１に示すプリンタの電気的構成のうち本発明に関わる部分を主に示すブロック図である。
【図３】図２に示すプリンタの通常起動時の動作の一例を説明するためのタイミングチャートである。
【図４】図２に示すプリンタの主電源オフ時の動作の一例を説明するためのタイミングチャートである。
【図５】図２に示すプリンタの主電源スイッチがオンされた直後にオフされた場合の動作の一例を説明するためのタイミングチャートである。
【図６】図２に示すプリンタの主電源スイッチがオンされた直後にオフされた場合の他の動作の一例を説明するためのタイミングチャートである。
【符号の説明】
１  プリンタ
１７  冷却ファン
１８  温湿度センサ
３１  表示装置
３２  表示用ＣＰＵ
３３  ＬＣＤ
４１  画像用制御回路
４２  画像用ＡＳＩＣ
４３  画像用ＣＰＵ
４４  レギュレータ
５１  駆動用制御回路
５２  駆動用ＡＳＩＣ
５３  駆動用ＣＰＵ
５４  リセット回路
６１  電源装置
６２  主電源スイッチ
６３  検知回路
６４  電源スイッチ
【図１】
2004272068.tif 000003
【図２】
2004272068.tif 000004
【図３】
2004272068.tif 000005
【図４】
2004272068.tif 000006
【図５】
2004272068.tif 000007
【図６】
2004272068.tif 000008